(57)【要約】【課題】不良駆動回路を容易に復旧できる液晶表示装置及びその復旧方法を提供する。【解決手段】第1〜第3ゲートラインと、第1〜第3ゲートラインの一側に各々配されて、第1〜第3ゲートラインを順に選択する出力信号を提供する第1〜第3ステージを含む第1ゲート駆動回路と、第1〜第3ゲートラインの他側に各々配されて、第1〜第3ゲートラインを順に選択する出力信号を提供する第1'〜第3'ステージを含む第2ゲート駆動回路と、第2ステージの第1入力端子と第1ステージの出力端子とを接続する入力配線と交差する一側と、第2'ステージの第1入力端子と第1'ステージの出力端子とを接続する入力配線と交差する他側を備える第1復旧用配線を含み、第1〜第3ステージの出力端子は、第1〜第3ゲートラインの一側に各々接続されて、第2'ステージの出力端子に接続された配線は、第2ゲートラインと絶縁されて交差することが望ましい。【選択図】図３
2007193299.tif 000002
【特許請求の範囲】
【請求項１】
第1〜第3ゲートラインと、
前記第1〜第3ゲートラインの一側に各々配されて、前記第1〜第3ゲートラインを順に選択する出力信号を提供する第1〜第3ステージを含む第1ゲート駆動回路と、
前記第1〜第3ゲートラインの他側に各々配されて、前記第1〜第3ゲートラインを順に選択する出力信号を提供する第1'〜第3'ステージを含む第2ゲート駆動回路と、
前記第2ステージの第1入力端子と前記第1ステージの出力端子とを接続する入力配線と交差する一側と、前記第2'ステージの第1入力端子と前記第1'ステージの出力端子とを接続する入力配線と交差する他側を備える第1復旧用配線と、
を含み、
前記第1〜第3ステージの出力端子は、前記第1〜第3ゲートラインの一側に各々接続されて、
前記第2'ステージの出力端子に接続された配線は、前記第2ゲートラインと絶縁されて交差することを特徴とする液晶表示装置。
【請求項２】
前記第2ステージの第2入力端子と前記第3ステージの出力端子とを接続する入力配線と絶縁されて交差する一側と、前記第2'ステージの第2入力端子と前記第3'ステージの出力端子とを接続する入力配線と絶縁されて交差する他側を備える第2復旧用配線をさらに含むことを特徴とする請求項１に記載の液晶表示装置。
【請求項３】
前記第2'ステージの出力端子に接続された前記配線は、前記第2'ステージの出力端子と前記第1'ステージの第2入力端子とを接続する入力配線であることを特徴とする請求項１に記載の液晶表示装置。
【請求項４】
前記第2'ステージの出力端子に接続された前記配線は、前記第2'ステージの出力端子と前記第3'ステージの第1入力端子とを接続する入力配線であることを特徴とする請求項１に記載の液晶表示装置。
【請求項５】
前記各ステージは、第1クロック信号(CKV)が提供される第1クロック端子と、前記第1クロック信号(CKV)を反転させた位相を有する第2クロック信号(CKVB)が提供される第2クロック端子と、直前ステージの出力信号が提供される第1入力端子と、次のステージの出力信号が提供される第2入力端子と、接地電圧が提供される接地電圧端子を含むことを特徴とする請求項１に記載の液晶表示装置。
【請求項６】
第1〜第3ゲートラインと、
前記第1〜第3ゲートラインの一側に各々配されて、前記第1〜第3ゲートラインを順に選択する出力信号を提供する第1〜第3ステージを含む第1ゲート駆動回路と、
前記第1〜第3ゲートラインの他側に各々配されて、前記第1〜第3ゲートラインを順に選択する出力信号を提供する第1'〜第3'ステージを含む第2ゲート 駆動回路と、
前記第2ステージの第1入力端子と前記第1ステージの出力端子とを接続する入力配線と短絡された一側と、前記第2'ステージの第1入力端子と前記第1'ステージの出力端子とを接続する入力配線と短絡された他側を備える第1復旧用配線と、
を含み、
前記第1及び第3ステージの出力端子は、前記第1及び第3ゲートラインの一側に各々接続されて、
前記第2ステージの出力端子は、前記第2ゲートラインの一側と断線されて、
前記第2'ステージの出力端子は、前記第2ゲートラインの他側と短絡されたことを特徴とする液晶表示装置。
【請求項７】
前記第2ステージの第2入力端子と前記第3ステージの出力端子とを接続する入力配線と短絡された一側と、前記第2'ステージの第2入力端子と前記第3'ステージの出力端子とを接続する入力配線と短絡された他側を備える第2復旧用配線をさらに含むことを特徴とする請求項６に記載の液晶表示装置。
【請求項８】
前記第2ゲートラインは、前記第2'ステージの出力端子と前記第1'ステージの第2入力端子とを接続する入力配線と短絡されたことを特徴とする請求項６に記載の液晶表示装置。
【請求項９】
前記第2ゲートラインは、前記第2'ステージの出力端子と前記第3'ステージの第1入力端子とを接続する入力配線と短絡されたことを特徴とする請求項６に記載の液晶表示装置。
【請求項１０】
前記第2ゲートラインは、前記第1ステージの第2入力端子と接続されたことを特徴とする請求項６に記載の液晶表示装置。
【請求項１１】
前記第2ゲートラインは、前記第3ステージの第1入力端子と接続されたことを特徴とする請求項６に記載の液晶表示装置。
【請求項１２】
前記各ステージは、第1クロック信号(CKV)が提供される第1クロック端子と、前記第1クロック信号(CKV)を反転させた位相を有する第2クロック信号(CKVB)が提供される第2クロック端子と、直前ステージの出力信号が提供される第1入力端子と、次のステージの出力信号が提供される第2入力端子と、接地電圧が提供される接地電圧端子を含むことを特徴とする請求項６に記載の液晶表示装置。
【請求項１３】
多数のゲートラインが形成された液晶表示パネルと、
前記液晶表示パネル上に前記多数のゲートラインの一側に配されて、前記多数のゲートラインの一側と各々電気的に接続された多数のステージを含むシフトレジスターからなる第1ゲート駆動回路と、
前記液晶表示パネル上に前記多数のゲートラインの他側に配されて、前記多数のゲートラインと電気的に分離した多数のステージを含むシフトレジスターからなる第2ゲート駆動回路と、
前記第1ゲート駆動回路の隣接する２つのステージの間に配された一側と、前記第2ゲート駆動回路の隣接する２つのステージの間に配された他側を備える復旧用配線であって、前記第1及び第2ゲート駆動回路と電気的に絶縁された復旧用配線と、
を含むことを特徴とする液晶表示装置。
【請求項１４】
前記復旧用配線は、前記２つのステージのうち、後端ステージの第1入力端子と、前端ステージの出力端子とを接続する第1入力配線と絶縁されて交差することを特徴とする請求項１３に記載の液晶表示装置。
【請求項１５】
前記復旧用配線は、前記２つのステージのうち、前端ステージの第2入力端子と、後端ステージの出力端子とを接続する第2入力配線と絶縁されて交差することを特徴とする請求項１３に記載の液晶表示装置。
【請求項１６】
前記第2ゲート駆動回路の前記ステージの出力端子に接続された配線は、前記ゲートラインの他側と絶縁されて交差することを特徴とする請求項１３に記載の液晶表示装置。
【請求項１７】
前記各ステージは、第1クロック信号(CKV)が提供される第1クロック端子と、前記第1クロック信号(CKV)を反転させた位相を有する第2クロック信号(CKVB)が提供される第2クロック端子と、直前ステージの出力信号が提供される第1入力端子と、次のステージの出力信号が提供される第2入力端子と、接地電圧が提供される接地電圧端子を含むことを特徴とする請求項１３に記載の液晶表示装置。
【請求項１８】
請求項1の液晶表示装置を準備する段階と、
前記第1復旧用配線が、前記第2ステージの第1入力端子と前記第1ステージの出力端子とを接続する入力配線と、前記第2'ステージの第1入力端子と前記第1'ステージの出力端子とを接続する入力配線に各々交差する地点をレーザービームを用いて短絡させる段階と、
前記第2'ステージの出力端子に接続された配線が、前記第2ゲートラインに交差する地点をレーザービームを用いて短絡させる段階と、
を含むことを特徴とする液晶表示装置の復旧方法。
【請求項１９】
前記第2ステージの出力端子と前記第2ゲートラインの接続部分とをレーザービームを用いて断線させる段階をさらに含むことを特徴とする請求項１８に記載の液晶表示装置の復旧方法。
【請求項２０】
前記第2ステージの第2入力端子と前記第3ステージの出力端子とを接続する入力配線と絶縁されて交差する一側と、前記第2'ステージの第2入力端子と前記第3'ステージの出力端子とを接続する入力配線と絶縁されて交差する他側を備える第2復旧用配線を形成する段階をさらに含み、
前記第2復旧用配線が、前記第2ステージの第2入力端子と前記第3ステージの出力端子とを接続する入力配線と、前記第2'ステージの第2入力端子と前記第3'ステージの出力端子とを接続する入力配線に各々交差する地点をレーザービームを用いて短絡させる段階をさらに含むことを特徴とする請求項１８に記載の液晶表示装置の復旧方法。
【発明の詳細な説明】
【技術分野】
【０００１】
本発明は、ディスプレイ装置及びその復旧方法に関し、より詳細には、液晶表示装置及びその復旧方法に関する。
【背景技術】
【０００２】
一般的にディスプレイ装置は、表示パネル、表示パネルを駆動するためのゲート駆動信号を出力するゲート駆動回路及び表示パネルに映像信号を出力するソース駆動回路から構成される。ゲート駆動回路及びソース駆動回路は、TCP(tape carrier package)またはCOG(chip on glass)形態で表示パネルに実装されうる。また、ゲート駆動回路は、表示パネルに直接形成することもできる。
【０００３】
このようにゲート駆動回路を表示パネルに直接形成した構造は、互いに従属的に接続された多数のステージ(stage)を有するシフトレジスター(shift register)から構成される。
このように従来技術によるゲート駆動回路は、多数の非晶質−シリコン薄膜トランジスタ (以下、a-Si TFT)を用いて表示パネル上に直接形成される。
【０００４】
もし、多数のa-Si TFTを製造する過程で、工程ライン上にパーティクル(particle)によって各a-Si TFTに欠陥(defect)が発生するような場合、表示パネルが完成された後に表示パネルを検査して、このような欠陥の存否を把握できる。但し、ゲート駆動回路に欠陥が発生した場合には、ゲート駆動回路が直接表示パネルに形成されていることから、これを復旧することは非常に困難であるという問題を包含する。
【特許文献１】韓国公開特許 2005-0011546号
【発明の開示】
【発明が解決しようとする課題】
【０００５】
本発明が解決しようとする技術的課題は、 不良駆動回路を容易に復旧できる液晶表示装置を提供しようとすることである。
本発明が解決しようとする他の技術的課題は、このような液晶表示装置の復旧方法を提供しようとすることである。
本発明の技術的課題は、前述した技術的課題に制限されず、言及されなかったさらなる技術的課題は、下記の記載から当業者に明確に理解されるであろう。
【課題を解決するための手段】
【０００６】
前記技術的課題を果たすための本発明の一実施形態による液晶表示装置は、第1〜第3ゲートラインと、前記第1〜第3ゲートラインの一側に各々配されて、前記第1〜第3ゲートラインを順に選択する出力信号を提供する第1〜第3ステージを含む第1ゲート駆動回路と、前記第1〜第3ゲートラインの他側に各々配されて、前記第1〜第3ゲートラインを順に選択する出力信号を提供する第1'ないし第3'ステージを含む第2ゲート駆動回路と、前記第2ステージの第1入力端子と前記第1ステージの出力端子とを接続する入力配線と交差する一側と、前記第2'ステージの第1入力端子と前記第1'ステージの出力端子とを接続する入力配線と交差する他側を備える第1復旧用配線を含む。ここで、前記第1〜第3ステージの出力端子は、前記第1〜第3ゲートラインの一側に各々接続されて、前記第2'ステージの出力端子に接続された配線は、前記第2ゲートラインと絶縁されて交差することが望ましい。
【０００７】
また、前記技術的課題を果たすための本発明の他の実施形態による液晶表示装置は、第1〜第3ゲートラインと、前記第1〜第3ゲートラインの一側に各々配されて、前記第1〜第3ゲートラインを順に選択する出力信号を提供する第1〜第3ステージを含む第1ゲート駆動回路と、前記第1〜第3ゲートラインの他側に各々配されて、前記第1〜第3ゲートラインを順に選択する出力信号を提供する第1'〜第3'ステージを含む第2ゲート駆動回路と、前記第2ステージの第1入力端子と前記第1ステージの出力端子とを接続する入力配線と短絡された一側と、前記第2'ステージの第1入力端子と前記第1'ステージの出力端子とを接続する入力配線と短絡された他側を備える第1復旧用配線を含む。ここで、前記第1及び第3ステージの出力端子は、前記第1及び第3ゲートラインの一側に各々接続されて、前記第2ステージの出力端子は、前記第2ゲートラインの一側と断線されて、前記第2'ステージの出力端子は、前記第2ゲートラインの他側と短絡されることが望ましい。
【０００８】
また、前記技術的課題を果たすための本発明のまた他の実施形態による液晶表示装置は、 多数のゲートラインが形成された液晶表示パネルと、前記液晶表示パネル上に前記多数のゲートラインの一側に配されて、前記多数のゲートラインの一側と各々電気的に接続された多数のステージを含むシフトレジスターからなる第1ゲート駆動回路と、前記液晶表示パネル上に前記多数のゲートラインの他側に配されて、前記多数のゲートラインと電気的に分離した多数のステージを含むシフトレジスターからなる第2ゲート駆動回路と、前記第1ゲート駆動回路の隣接する２つのステージの間に配された一側と、前記第2ゲート駆動回路の隣接する２つのステージの間に配された他側を備える復旧用配線であって、前記第1及び第2ゲート駆動回路と電気的に絶縁された復旧用配線を含む。
【０００９】
前記他の技術的課題を果たすための本発明の一実施形態による液晶表示装置の復旧方法は、前記液晶表示装置を準備する段階と、前記第1復旧用配線が、前記第2ステージの第1入力端子と前記第1ステージの出力端子とを接続する入力配線と、前記第2'ステージの第1入力端子と前記第1'ステージの出力端子とを接続する入力配線に各々交差する地点をレーザービームを用いて短絡させる段階と、前記第2'ステージの出力端子に接続された配線が前記第2ゲートラインに交差する地点をレーザービームを用いて短絡させる段階を含む。
【００１０】
その他実施形態の具体的な事項は、詳細な説明及び図面に含まれている。
【発明の効果】
【００１１】
本発明による液晶表示装置及びその復旧方法によれば、ゲートラインと実質的に平行な復旧用配線を利用するので、液晶表示装置の開口率及び製造原価をそのまま維持しながら効率的に液晶表示装置の欠陥を復旧できる。
【発明を実施するための最良の形態】
【００１２】
本発明の利点及び特徴、そしてそれらの達成方法は、添付図面と共に詳細に後述されている実施形態を参照すれば、明確になる。しかし、本発明は、以下で開示される実施形態に限定されず、相異なる多様な形態で具現でき、単に本実施形態は本発明の開示を完全にし、当業者に発明の範ちゅうを完全に知らせるために提供され、本発明は請求項の範ちゅうにより定義されるだけである。明細書全体にわたって同一参照符号は、同一構成要素を指称する。
【００１３】
以下、添付された図面を参照して、本発明の実施形態を詳しく説明する。
図１は、本発明の一実施形態による液晶表示装置を表した平面図である。
図１に示すように、本発明の一実施形態による液晶表示装置１００は、第1基板１０、第1基板１０と向い合う第2基板２０、及び第1基板１０と第2基板２０との間に介在された液晶層(図示せず)からなる液晶表示パネル３０を含む。
【００１４】
液晶表示パネル３０は、映像を表示する表示領域DAと、表示領域DAに隣接した第1及び第2周辺領域PA1、PA2からなされる。
表示領域DAには、第1方向D1に延びた多数のゲートラインGL1-GLn及び第1方向D1と直交する第2方向D2に延びて多数のゲートラインGL1-GLnと電気的に絶縁状態で交差する多数のデータラインDL1-DLmが設けられてマトリックス形態の画素領域が定義される。そして、表示領域DAには、ゲートラインGL1-GLnと平行に復旧用配線RL1-RLnが形成されている。
【００１５】
各画素領域は、薄膜トランジスタ６０(以下、TFT)と、TFT６０に接続された液晶キャパシタClcを含む。TFT６０は、ゲート電極が該当のゲートラインに接続されて、ソース電極が該当のデータラインに接続され、ドレーン電極が液晶キャパシタClcに接続される。
多数のゲートラインGL1-GLnの一端部に隣接する第1周辺領域PA1の左側領域には、多数のゲートラインGL1-GLnにゲート駆動信号を順に出力するための第1ゲート駆動回路４０が形成される。また、多数のゲートラインGL1-GLn の他端部に隣接する第1周辺領域PA1の右側領域には、第1ゲート駆動回路４０に対する余剰回路(redundancy  circuit)として第2ゲート駆動回路４５が形成される。このように表示領域DAの左右に位置する第1周辺領域PA1には、第1及び第2ゲート駆動回路４０、４５が左右対称に各々配される。
【００１６】
第2周辺領域PA2は、多数のデータラインDL1-DLmの一端部と隣接する領域であり、第2周辺領域PA2には、多数のデータラインDL1-DLmに映像信号を出力するためのデータ駆動チップ５５が実装される。
第2周辺領域PA2の一側には、液晶表示パネル３０を駆動するための外部装置(図示せず)と液晶表示パネル３０を電気的に接続するためのフレキシブル回路基板(Flexible  Printed Circuit Board)５０がさらに付着される。フレキシブル回路基板５０は、データ駆動チップ５５と電気的に接続される。第1及び第2ゲート駆動回路４０、４５は、データ駆動チップ５５を通じてフレキシブル回路基板５０と接続されるか、フレキシブル回路基板５０と直接的に接続されうる。
【００１７】
図２Ａは、図１の第1及び第2ゲート駆動回路を具体的に表したブロック図である。
図２Ａに示すように、第1ゲート駆動回路４０は、互いに従属的に接続された多数のステージSRC1-SRCn+1からなる１つのシフトレジスターを含む。すなわち、第1ゲート駆動回路４０は、n個のゲートラインGL1-GLnにゲート信号(または走査信号)を出力する第1ないし第nステージSRC1-SRCn及びコントロール信号を直前のステージに提供するダミーステージSRCn+1を備える。
【００１８】
各ステージSRC1-SRCn+1は、第1クロック端子CK1、第2クロック端子CK2、第1入力端子IN1、第2入力端子IN2、出力端子OUT及び接地電圧端子VSSを含む。
多数のステージのうち、奇数番目のステージSRC1、SRC3、…、SRCn+1の第1クロック端子CK1には、第1クロック信号CKVが提供されて、偶数番目のステージSRC2、…、SRCnの第1クロック端子CK1には、前記第1クロック信号CKVを反転させた位相を有する第2クロック信号CKVBが提供される。一方、奇数番目のステージSRC1、SRC3、…、SRCn+1の第2クロック端子CK2には、第2クロック信号CKVBが提供されて、偶数番目のステージSRC2、…、SRCnの第2クロック端子CK2には、第1クロック信号CKVが提供される。
【００１９】
奇数番目のステージSRC1、SRC3、…、SRCn+1の出力端子OUTは、第1クロック信号CKVを出力して、偶数番目のステージSRC2、…、SRCnの出力端子OUTは、第2クロック信号CKVBを出力する。n個のステージSRC1-SRCnの出力端子OUTは、表示領域DA (図１に図示される)に設けられたn個のゲートラインGL1-GLnのうち、対応するゲートラインに電気的に接続される。したがって、シフトレジスタは、n個のゲートラインGL1-GLnを順に駆動する。
【００２０】
第1入力端子IN1には、直前ステージの出力端子OUTから出力された信号が印加されて、第2入力端子IN2には、次のステージの出力端子OUTから出力された信号が印加される。
ここで、第1ステージSRC1の第1入力端子IN1には、直前ステージの出力信号ではないスキャン開始信号STVが提供される。また、第nステージSRCnの第2入力端子IN2に出力信号を提供するために用意された第n+1ステージSRCn+1の第2入力端子IN2には、次のステージの出力信号の代りにスキャン開始信号STVが提供される。
【００２１】
以下、各ステージSRC1-SRCn+1の構造及びその動作を説明する。
前述したように、各ステージSRC1-SRCn+1は、第1クロック端子CK1、第2クロック端子CK2、第1入力端子IN1、第2入力端子IN2、出力端子OUT及び接地電圧端子VSSを含む。ここで、第1入力端子IN1は、直前ステージの出力端子OUTと第1入力配線IL1を通じて接続されて、第2入力端子IN2は、次のステージの出力端子OUTと第2入力配線IL2を通じて接続されて、出力端子OUTは、各ステージSRC1-SRCn+1に対応する各ゲートラインGL1-GLnに接続されて、接地電圧端子VSSには接地電圧VSSが入力される。
【００２２】
具体的に見れば、第1ステージSRC1は、第1及び第2クロック端子CK1、CK2を通じて外部から提供される第1及び第2クロック信号CKV、CKVBが入力され、第1入力端子IN1を通じてスキャン開始信号STVが入力され、そして、第2入力端子IN2を通じて第2ステージSRC2から第2入力配線IL2を経由して提供される第2ゲート信号GOUT2が入力されて、第1ゲートラインGL1を選択する第1ゲート信号GOUT1を出力端子OUTを通じて出力する。また、第1ゲート信号GOUT1は、第1入力配線IL1を経由して第2ステージSRC2の第1入力端子IN1に出力される。
【００２３】
第2ステージSRC2は、第1及び第2クロック端子CK1、CK2を通じて外部から提供される第2及び第1クロック信号CKVB、CKVが入力され、第1入力端子IN1を通じて第1ステージSRC1から第1入力配線IL1を経由して提供される第1ゲート信号GOUT1が入力され、そして、第2入力端子IN2を通じて第3ステージSRC3から第2入力配線IL2を経由して提供される第3ゲート信号GOUT3が入力されて、第2ゲートラインGL2を選択する第2ゲート信号GOUT2を出力端子OUTを通じて出力する。また、第2ゲート信号GOUT2は、第1入力配線IL1を経由して第3ステージSRC3の第1入力端子IN1に出力される。
【００２４】
同様にして、第nステージSRCnは、第1及び第2クロック端子CK1、CK2を通じて外部から提供される第2及び第1クロック信号CKVB、CKVが入力され、第1入力端子IN1を通じて第n-1ステージSRCn-1から第1入力配線IL1を経由して提供される第n-1ゲート信号GOUTn-1が入力され、そして、第2入力端子IN2を通じてダミーステージSRCn+1から第2入力配線IL2を経由して提供される第n+1ゲート信号GOUTn+1が入力されて、第nゲートラインGLnを選択する第nゲート信号GOUTnを出力端子OUTを通じて出力する。また、第nゲート信号GOUTnは、第1入力配線IL1を経由してダミーステージSRCn+1の第1入力端子IN1に出力される。
【００２５】
図２Ａに示すように、第1ゲート駆動回路４０と第2ゲート駆動回路４５は、ゲートラインGL1-GLnが形成された表示領域の左右に対称的に配される。
すなわち、第2ゲート駆動回路４５は、互いに従属的に接続された多数のステージSRC1'- SRCn+1'からなる１つのシフトレジスターを含む。すなわち、第2ゲート駆動回路４５は、ゲート信号(または走査信号)を出力する第1'ないしn'ステージSRC1'-SRCn'及びコントロール信号を直前ステージに提供するダミーステージSRCn+1'を備える。
【００２６】
第2ゲート駆動回路４５の各ステージSRC1'-SRCn+1'は、第1ゲート駆動回路４０の各ステージSRC1-SRCn+1と同様に、第1クロック端子CK1、第2クロック端子CK2、第1入力端子IN1、第2入力端子IN2、出力端子OUT及び接地電圧端子VSSを含む。第2ゲート駆動回路４５には、第1ゲート駆動回路４０と同じ信号CKV、CKVB、VSS、STVが提供される。但し、第2ゲート駆動回路４５は、前述した第1ゲート駆動回路４０と以下の点を除いて実質的に同じ構造を有する。
【００２７】
すなわち、各ステージSRC1'-SRCn+1'の出力端子OUTは、各ステージSRC1'-SRCn+1'に対応する各ゲートラインGL1-GLnと接続されず電気的に分離している。そして、各ステージSRC1'-SRCn+1'の出力端子OUTと接続された第1'入力配線IL1'または第2'入力配線IL2'は、各ゲートラインGL1-GLnと重畳するように配置することが望ましい。これは、液晶表示装置１００の復旧過程で、レーザービームを用いてゲートラインGL1-GLnとステージSRC1'-SRCn+1'の第1'入力配線IL1'または第2'入力配線IL2'とを接続するためである。図２Ａに示した実施形態では、各ゲートラインGL1-GLnと第1'入力配線IL1'が重畳する場合を例を挙げて説明しているが、本発明はこれに限定されず、ステージSRC1'-SRCn+1'の出力端子OUTと接続された任意の配線とゲートラインGL1-GLnとを重畳させうる。例えば、図２Ｂに示すように、各ゲートラインGL1-GLnと第2'入力配線IL2'が重畳するように配置できる。ここで、図２Ｂは、図２Ａの変形実施形態である。以下、説明の便宜のために図２Ａを用いて本発明を説明する。
【００２８】
図２Ａに示すように、多数の復旧用配線RL1-RLnは、ゲートラインGL1-GLnと平行に配列されて、他の配線、例えばゲートラインGL1-GLn、第1入力配線IL1、第2入力配線IL2、第1'入力配線IL1'及び第2'入力配線IL2'などと電気的に絶縁されている。
復旧用配線RL1-RLnは、第1及び第2ゲート駆動回路４０、４５を構成する各ステージごとに配置することができる。各復旧用配線RL1-RLnは、各ステージSRC1-SRCn+1、SRC1'-SRCn+1'の入力配線IL1、IL2、IL1'、IL2'と重畳するように配置することが望ましい。
【００２９】
このように、第1ゲート駆動回路４０は、ゲートラインGL1-GLnと直接接続されてゲート駆動信号を順に出力する。また、第2ゲート駆動回路４５は、ゲートラインGL1-GLnに直接接続されていないが余剰回路として第1ゲート駆動回路４０に欠陥が発生した場合、第2ゲート駆動回路４５及び復旧用配線RL1-RLnを用いて液晶表示装置を復旧できる。
以下、図１及び図３を参照して、本発明の一実施形態による液晶表示装置の復旧方法を詳しく説明する。ここで、図３は、図１の第1及び第2ゲート駆動回路を復旧する方法を説明するブロック図である。
【００３０】
一般的に、ゲート駆動回路が多数の非晶質−シリコン薄膜トランジスター(以下、a-Si  TFT)を用いて液晶表示パネル上に直接形成される構造において、このようなゲート駆動回路に欠陥が発生する場合、これを復旧しにくい。しかし、図１に示した本発明の一実施形態による液晶表示装置１００のように液晶表示パネル３０の表示領域DAの左右に位置する第1周辺領域PA1に第1及び第2ゲート駆動回路４０、５０を左右対称的に配置して、ゲートラインGL1-GLnと平行に復旧用配線RL1-RLnを形成することによって、 容易に液晶表示装置１００を復旧できる。
【００３１】
例えば、第1ゲート駆動回路４０の第2ステージSRC2に欠陥が発生した場合、これを復旧する方法を図３を参照して説明する。
図３に示すように、欠陥が発生した第2ステージSRC2と第1ステージSRC1との間に配置された第1復旧用配線RL1は、第2ステージSRC2の第1入力端子IN1と第1ステージSRC1の出力端子OUTとを接続する第1入力配線IL1と交差して、第2'ステージSRC2'の第1入力端子IN1と第1'ステージSRC1'の出力端子OUTとを接続する第1'入力配線IL1'と交差する。ここで、第1復旧用配線RL1と第2ステージSRC2の第1入力配線IL1との交差地点Aと、第1復旧用配線RL1と第2'ステージSRC2'の第1'入力配線IL1'の交差地点Bをレーザービームを用いて短絡(short)させる。
【００３２】
そして、第2ゲートラインGL2と第2ステージSRC2出力端子OUTとを接続する地点Cをレーザービームを用いて断線(open)させる。ここで、地点Cは、第2ゲートラインGL2と第1入力配線IL1を接続するノードと出力端子OUTとの間、及び第2ゲートラインGL2と第2入力配線IL2を接続するノードと出力端子OUTとの間に位置することが望ましい。
第2ゲートラインGL2は、第2'ステージSRC2'の出力端子OUTに接続された配線と電気的に絶縁された状態で交差する。ここで、第2'ステージSRC2'の出力端子OUTに接続された配線としては、第2'ステージSRC2'の出力端子OUTと第1'ステージSRC1'の第2入力端子IN2とを接続する第2'入力配線IL2'を用いることができ、第2'ステージSRC2'の出力端子OUTと第3'ステージSRC3'の第1入力端子IN1とを接続する第1'入力配線IL1'を用いることもできる。
【００３３】
このように、第2'ステージSRC2'の出力端子OUTに接続された配線と第2ゲートラインGL2の交差地点Dをレーザービームを用いて短絡させる。
また、第2ステージSRC2と第3ステージSRC3との間に配置された第2復旧用配線RL2は、第2ステージSRC2の第2入力端子IN2と第3ステージSRC3の出力端子OUTとを接続する第2入力配線IL2と交差して、第2'ステージSRC2'の第2入力端子IN2と第3'ステージSRC3'の出力端子OUTとを接続する第2'入力配線IL2'と交差する。ここで、第2復旧用配線RL2と第2ステージSRC2の第2入力配線IL2が交差する地点Eと、第2復旧用配線RL2と第2'ステージSRC2'の第2'入力配線IL2'が交差する地点Fをレーザービームを用いて短絡(short)させる。
【００３４】
このように復旧された液晶表示装置の動作を見れば、次のようである。
欠陥が発見された第1ゲート駆動回路４０の第2ステージSRC2の代わりに第2ゲート駆動回路４５の第2'ステージSRC2'が動作する。したがって、第1ステージSRC1から出力される第1ゲート信号GOUT1は、第1ステージSRC1の出力端子OUTから、第1入力配線IL1、地点A、第1復旧用配線RL1、地点B及び第1'入力配線IL1'を経由して第2'ステージSRC2'の第1入力端子IN1に提供される。
【００３５】
そして、第2'ステージSRC2'から出力される第2ゲート信号GOUT2は、第2'ステージSRC2'の出力端子OUTから、第1'入力配線IL1'、地点D、第2ゲートラインGL2及び第1入力配線IL1を経由して第3ステージSRC3の第1入力端子IN1に提供される。
そして、第3ステージSRC3から出力される第3ゲート信号GOUT3は、第3ステージSRC3の出力端子OUTから、第2入力配線IL2、地点E、第2復旧用配線RL2、地点F及び第2'入力配線IL2'を経由して第2'ステージSRC2'の第2入力端子IN2に提供される。
【００３６】
このように第2'ステージSRC2'は、第1及び第2クロック端子CK1、CK2を通じて外部から提供される第1及び第2クロック信号CKV、CKVBが入力され、第1入力端子IN1を通じて第1ステージSRC1から第1復旧用配線RL1を経由して提供される第1ゲート信号GOUT1が入力され、そして、第2入力端子IN2を通じて第3ステージSRC3から第2復旧用配線RL2を経由して提供される第3ゲート信号GOUT3が入力されて、第2ゲートラインGL2を選択する第2ゲート信号GOUT2を出力端子OUTを通じて出力する。また、第2ゲート信号GOUT2は、第1入力配線IL1を経由して第3ステージSRC3の第1入力端子IN1に出力される。
【００３７】
このように、レーザービームと復旧用配線RL1-RLnを用いて欠陥が発生したステージを迂回する別途の電流経路(current path)を形成することによって、ゲート駆動回路の不良を容易に復旧できる。
以上、添付された図面を参照して、本発明の実施形態を説明したが、当業者ならば本発明がその技術的思想や必須な特徴を変更せずとも、他の具体的な形態に実施できるということを理解できるであろう。したがって、前述した実施形態は、あらゆる面で例示的なものであり、限定的ではないと理解せねばならない。
【産業上の利用可能性】
【００３８】
本発明のディスプレイ装置及びその復旧方法は、液晶表示装置及びその復旧方法に適用されうる。
【図面の簡単な説明】
【００３９】
【図１】本発明の一実施形態による液晶表示装置を表した平面図である。
【図２Ａ】図１の第1及び第2ゲート駆動回路を具体的に表したブロック図である。
【図２Ｂ】図２Ａの変形実施形態である。
【図３】図１の第1及び第2ゲート駆動回路を復旧する方法を説明するブロック図である。
【符号の説明】
【００４０】
１０：第１基板
２０：第２基板
３０：液晶表示パネル
４０：第１ゲート駆動回路
４５：第２ゲート駆動回路
５０：軟性回路基板
５５：データ駆動チップ
６０：薄膜トランジスター
１００：液晶表示装置
【図１】
2007193299.tif 000003
【図２Ａ】
2007193299.tif 000004
【図２Ｂ】
2007193299.tif 000005
【図３】
2007193299.tif 000006